Podtech/llm-jp-corpus-v4-ja_patent huggingface dataset:
(57)【要約】【課題】医療用縫合針は縫合材料を接続する際、針後端全周に均等に圧力をかけなければならないため、針に回転をかける等、接続作業に熟練技術を要し、尚かつ作業時間が長い。また、針後端の穴に偏りがあると壁の一部が薄くなり、薄い方向に負荷がかかると針から縫合材料が抜けてしまう不具合が発生しやすい。手術中に針から糸が抜けてしまうことは重大なトラブルを招くこともある。【解決手段】縫合針後端面に穴を開け縫合材料を差し込み、パンチを装着したプレス機を用い、針を寝かせた状態で針後端側面中央部分に、パンチ先端を打ち込み、針側面内側壁と縫合材料が凹凸を形成することによって縫合針と縫合材料を固定する製造方法とした。【選択図】図１
2007185402.tif 000002
【特許請求の範囲】
【請求項１】
先端が尖っている医療用縫合針の後端面の中心に後端から先端に向かって長手方向に穴を開け、その穴に糸、ワイヤー等の縫合材料を差し込み、パンチを装着したプレス機を用い、針を寝かせた状態で針後端側面中央部分に、パンチ先端を打ち込み、針側面内側壁と差し込まれた縫合材料が変形密着し縫合針と縫合材料を固定する医療用縫合針の製造方法。
【発明の詳細な説明】
【技術分野】
【０００１】
本発明は、医療用縫合針と縫合材料の固定方法に関するものである。
【背景技術】
【０００２】
医療用縫合針と縫合材料の接続方法は通常針後端に穴を開け、全周をカシメ固定することにより接続固定する。
【特許文献１】特許公開２０００−２０１９３７
【発明の開示】
【発明が解決しようとする課題】
【０００３】
特許文献１に示すように従来の医療用縫合針は縫合材料を接続する際、針後端全周に均等に圧力をかけなければならないため、針に回転をかける等、接続作業に熟練技術を要し、尚かつ作業時間が長い。
【０００４】
また、針後端の穴に偏りがあると壁の一部が薄くなり、薄い方向に負荷がかかると針から縫合材料が抜けてしまう不具合が発生しやすい。手術中に針から糸が抜けてしまうことは重大なトラブルを招くこともある。
【課題を解決するための手段】
【０００５】
本発明は、縫合針後端面に穴を開け縫合材料を差し込み、パンチを装着したプレス機を用い、針を寝かせた状態で針後端側面中央部分に、パンチ先端を打ち込み、針側面内側壁と縫合材料が凹凸を形成することによって縫合針と縫合材料を固定するという従来にない製造方法を特徴とする。
【発明の効果】
【０００６】
本発明により、特別な技能を必要とすることなく、簡便に迅速に縫合針と縫合材料の接続が可能となる。熟練社員ではなく、パート等の廉価な労働力で短時間に作業を行うことができ、コストダウンになる。
【０００７】
機械作業のため、正確で不具合が発生しにくい。針後端の穴位置に多少の偏りがあってもパンチ先端を打ち込むため、縫合針内側の壁と縫合材料が変形し、凹凸を形成するため、抜けにくい。工程上の不良が減少し、歩留まりが向上する。
【発明を実施するための最良の形態】
【０００８】
針後端に穴を開け縫合材料を差し込み、パンチを装着したプレス機を用い、針後端側面に、パンチ先端を打ち込み、針の内側壁と縫合材料が変形密着し固定する製造方法とする。
【実施例１】
【０００９】
図１は、本発明の１実施例であって、医療用縫合針の接続部分拡大図である。針の素材はステンレスSUS304等である。針素材直径は最大で1.4mm程度なのでパンチその他プレス機械は精度の高いものが要求される。図右端に省略されている縫合針２先端は鋭利に尖っており、後端面中心に後端から先端に向かって穴が開いている。その穴にステンレス製ワイヤー１が差し込まれ、縫合針２を寝かせた状態でパンチ３を装着したプレス機を用い、縫合針後端側面中央部分にパンチ先端を打ち込んでいる。パンチ３先端は細くなるので、パンチガイドブッシュを用いた方がパンチ折れを防ぐことができる。縫合針２全体は下型によって支えられているので、パンチ３を打ち込まれることによって針全体が変形することはない。縫合針２側面内側壁は打ち込まれたパンチ３により大きく変形し、差し込まれたワイヤー１断端部に食い込む。縫合針２側面内側壁とワイヤー１は凹凸を形成するためワイヤーが抜けにくい構造となる。
【００１０】
図２は、パンチ工程後の縫合針後端を上から見た図である。パンチ３先端形状が四角錐であるため、四角いパンチ穴となる。パンチ穴は深くワイヤー１中央部分まで到達しており、ワイヤー１が縫合針２から抜にくい構造となっている。
【産業上の利用可能性】
【００１１】
縫合針後端面に穴を開け縫合材料を差し込み、パンチを装着したプレス機を用い、針後端側面にパンチを打ち込むことによって縫合針と縫合材料を固定する。この製造方法により技能を必要とすることなく、簡便に迅速に縫合針と縫合材料の接続が可能となる。熟練社員ではなく、パート等の廉価な労働力で短時間に作業を行うことができ、コストダウンになる。機械作業のため、正確で不具合が発生しにくい。針後端の穴位置に多少の偏りがあってもパンチ先端を打ち込むことにより、縫合針内側の壁と縫合材料が変形し、凹凸を形成するため、抜けにくい。工程上の不良が減少し、歩留まりが向上する。
【図面の簡単な説明】
【００１２】
【図１】縫合針とワイヤーの固定方法を示した説明図である。
【図２】縫合針とワイヤーの固定方法を上から見た図である。
【符号の説明】
【００１３】
１    ワイヤー
２    縫合針
３    パンチ    
【図１】
2007185402.tif 000003
【図２】
2007185402.tif 000004
(57)【要約】      （修正有）【課題】目蓋の瞬きの歪みと弛みをマイコンにより正確に判別し、音響装置や振動装置で装着者に警報を発する居眠り防止装置を提供する。【解決手段】初期設定として瞬きの目蓋の歪みデーター取りと、居眠りの歪みデーターをメモリー５に保存して置いて、マイコン２で居眠りを判断し、居眠りと判断された場合は音響装置と振動装置で装着者に警報を発する。【選択図】図２
2007185406.tif 000002
【特許請求の範囲】
【請求項１】
目蓋に貼った歪変換器で、目蓋の歪みを検出しマイコンで瞬きと居眠りを判別して、音響と振動により装着者に警報を発する居眠り防止装置。
【発明の詳細な説明】
【技術分野】
【０００１】
本発明は、歪変換器を使用した目蓋の歪みを検出するのに観測確認が容易な居眠り防止に関するものである。
【背景技術】
【０００２】
歪変換器は、ロボットのハンドに使用され実用に共されている。
実用の居眠り防止装器は、耳に装着した傾きセンサーで耳が傾くと音響で装着者に警報を発する物で耳の傾きを居眠りと判別し実用上十分であった。
【０００３】
しかし、耳の傾きで居眠りを判別するにはかなり深い居眠り、むしろ睡眠状態にならないと耳の傾きに反映されない欠点があった。
【０００４】
車の運転等に居眠り防止器を使用することは、睡眠検出となり居眠り検出としては遅すぎる、この欠点は致命的な問題であった。
【０００５】
この改善策として、目蓋に接着した歪変換器とマイコンにより瞬きと居眠りを正確に判別し、かつ音響と振動により装着者に警報を発する物である。図２はこの方法による実装形態を示すための説明図である。
図２で、１は歪センサ、２はマイコン、３は音響装置、４は振動装置である。
【特許文献１】特許公開平７−１１６２５７号公報
【特許文献２】特許公開平７−５５６１１号広報
【発明の開示】
【発明が解決しようとする課題】
【０００６】
解決しようとする問題点は、眠気を生理的に判別する物で、眠くなると目蓋が弛むと言う生理現象と瞬きを正確に判別するための仕組みである。
【課題を解決するための手段】
【０００７】
本発明は、１歪変換器と２マイコンを駆使し、目蓋の弛みを眠気と判断する物で、かつ瞬きには反応しない仕組みである。これで居眠りと判断された場合は３音響装置と４振動装置により装着者に警報を発する物である。
【発明の効果】
【０００８】
本発明の居眠り防止装置は、耳の傾き・すなわち頭の傾きを検出する従来の居眠り防止器では不可能だった、生理現象である目蓋の弛みを居眠りの判断基準にする物で、かつ瞬きとは区別しマイコンにより判断することで、誰にでも装着可能である。特に眼鏡使用者にも対応可能という利点がある。
【発明を実施するための最良の形態】
【０００９】
１歪変換器、２マイコン、３音響装置、４振動装置、５メモリー、６バッテリーは既存の技術の応用で対応出来ることから、低コスト・ダウンサウジングが可能で比較的実現性の高さを、最小の部品点数で、装着感を損なわずに実現した。
【実施例１】
【００１０】
図１は、本発明装置の１実施例の装着図であって、図２は１歪変換器、２マイコン、３音響装置、４振動装置、５メモリー、６バッテリーである。
【図面の簡単な説明】
【００１１】
【図１】歪変換器貼り付けの実施方法を示した説明図である。
【図２】居眠り防止装置の構成を示した説明図である。（実施例１）
【符号の説明】
【００１２】
１    歪変換器
２    マイコン
３    音響装置（イヤホン）
４    振動装置（バイブレーター）
５    メモリー
６    バッテリー（充電式）
【図１】
2007185406.tif 000003
【図２】
2007185406.tif 000004
(57)【要約】【課題】ストロー本体に直接ロゴや文字をデザインし印刷して、ストロー本体にストローという機能を持ちながら、広告の効果を発揮するデザイン入りストローを提供する。【解決手段】ストロー本体に直接ロゴや文字をデザインして印刷する。【選択図】図２
2007185465.tif 000002
【特許請求の範囲】
【請求項１】
ストロー本体に直接文字やデザインを印刷したデザイン入りストローであり、広告効果を期待できるものである。
【請求項２】
上記デザイン入りストローは、印刷機により印刷されたものである。
【発明の詳細な説明】
【技術分野】
【０００１】  本発明は、ストロー本体に直接ロゴや文字をデザインして印刷するデザイン入りストローに関するものである。
【背景技術】
【０００２】  従来までのストローは図１が示すようにストロー本体１のように無地のものであった。
【発明の開示】
【発明が解決しようとする課題】
【０００３】  従来までのストローにはストロー本体に直接ロゴや文字をデザインして印刷している広告を目的としていたストローはなかった。
本発明は、ストロー本体に広告の効果を発揮することを課題とする。
【課題を解決するための手段】
【０００４】  以上の課題を解決するために第一の発明はストロー本体に直接ロゴや文字をデザインする。第二の発明は前記ストローは印刷機によって印刷する。
【発明の効果】
【０００５】  デザイン入りのストローにすることによって、ストローという機能を持ちながら、さまざまな文字、デザインによる視覚効果や広告としての効果をはたす。
【発明を実施するための最良の形態】
【０００６】  以下、本発明を実施するための最良の形態について説明する。
本発明は、ストロー本体に直接文字やデザインを印刷機により印刷するものである。この発明によりストローという機能を持ちながら、さまざまな文字、デザインによる視覚効果や広告としての効果をはたす。
【図面の簡単な説明】
【０００７】
【図１】  従来のストロー図である。
【図２】  本発明のデザイン入りストロー図である。
【符号の説明】
【０００８】  １  ストロー本体
２  ストロー本体
３  印刷機によって印刷されたロゴや文字
【図１】
2007185465.tif 000003
【図２】
2007185465.tif 000004
(57)【要約】【課題】本発明は、付け爪に関するものである。通常、付け爪はその表面に絵や模様などを描くことは知られているが、そのデザインは、付け爪の単一表面に絵や模様などが描かれたもので静的で動きのないものであるため、多重的なデザインの描写ができ、立体的で動きをともなった装飾をすることができる付け爪を提供する。【解決手段】付け爪の内部に空間を設ける。その中に絵や模様、文字などを描写したり、細かい薄片や小球、砂などさまざまな形状の物、水や油などの液体を入れる。【選択図】図２
2007185463.tif 000002
【特許請求の範囲】
【請求項１】
内部に空間を有することを特徴とする付け爪。
【発明の詳細な説明】
【技術分野】
【０００１】  本発明は、付け爪の内部に空間を設けて、その中に絵や模様、文字などを描写したり、細かい薄片や小球、砂などさまざまな形状の物、水や油などの液体を入れることで、多重的、立体的、動的な装飾を施すことができる付け爪に関するものである。
【背景技術】
【０００２】
【発明の開示】
従来、付け爪はその表面に絵や模様などを描くことは知られている。
【発明が解決しようとする課題】
【０００３】  付け爪のデザインは、付け爪の単一表面に絵や模様などが描かれたもので静的で動きのないものである。
【課題を解決するための手段】
【０００４】  付け爪の内部に空間を設ける。その中に絵や模様、文字などを描写したり、細かい薄片や小球、砂などさまざまな形状の物、水や油などの液体を入れる。
【発明の効果】
【０００５】  本発明の付け爪によって、付け爪内部の空間の中に絵や模様、文字などを描写したり、細かい薄片や小球、砂などの粒状物、水や油などの液体を入れることができ、これによって多重的なデザインの描写や、手指の動きにともなって付け爪内部の空間内を流動する薄片、小球、砂などさまざまな形状の物、水や油など、立体的で動きをともなった装飾をすることができる。
【発明の実施の最良の形態】
【０００６】  以下、本発明の実施の形態を説明する。
付け爪本体（１）の内部に空間（２）を設ける。付け爪の表面だけでなく、空間内面（３）には絵や模様、文字などを描くことができる。空間（２）には細かい薄片や小球、砂などさまざまな形状の物、水や油などの液体を入れることができる。
季節感を演出できるデザイン、装飾の例としては、付け爪内部の空間内面の背景側をパール調とし、ピンク色の桜の花型の小片を入れ、さらに水を空間内に満たしておく。手指の動きにともなって桜の花が空間内をゆっくり動き、春のイメージを演出できる。
また、シンプルにメタリックカラーの細かい薄片などを入れ、さらに水を空間内に満たしても良い。このように、多重的、立体的かつ動的な装飾が可能となる。
付け爪の材質としては、軟質、硬質の材料を単独もしくは組み合わせて用いることができる。
【図面の簡単な説明】
【０００７】
【図１】本発明の正面図である。
【図２】図１のａ線の断面図である。
【符号の説明】
【０００８】（１）付け爪本体、（２）空間、（３）空間内面
【図１】
2007185463.tif 000003
【図２】
2007185463.tif 000004
(57)【要約】【課題】本発明は、汚れを落とす作用を向上することができるブラシ用、たわし用の毛に関するものである。通常、汚れを落とすためのブラシやたわしには複数本の毛が配置されている。この毛で擦ることによって汚れを落とすことは知られているが、、汚れをかき落とす作用をするのは毛の先端部分が主体となっており、毛の側面の有する汚れを落とす作用は毛の先端部分に比べて劣っているのが現状であるために、毛の側面においても汚れを落とす作用を高めたブラシ用、たわし用の毛、及びこれらの特徴を有する毛を配置したブラシやたわしを提供する。【解決手段】ブラシ用、たわし用の毛について、毛の側面に角や尖部を有する毛とする。毛の断面が三角形または四角形または星形など多角形となる毛とする。毛の表面に多数の凹凸を有する毛とする。これらの特徴を有する毛をブラシやたわしに配置する。【選択図】図１
2007185464.tif 000002
【特許請求の範囲】
【請求項１】
毛の側面に、角（かど）や尖部を有することを特徴とするブラシ用、たわし用の毛。
【請求項２】
毛の断面が多角形であることを特徴とするブラシ用、たわし用の毛。
【請求項３】
毛の断面が三角形であることを特徴とするブラシ用、たわし用の毛。
【請求項４】
毛の断面が四角形であることを特徴とするブラシ用、たわし用の毛。
【請求項５】
毛の断面が星形であることを特徴とするブラシ用、たわし用の毛。
【請求項６】
毛の表面に多数の凹凸を有することを特徴とするブラシ用、たわし用の毛。
【請求項７】
請求項１、２、３、４、５、６に記載のブラシ用、たわし用の毛のうちのいずれかを有するブラシ、たわし。
【発明の詳細な説明】
【技術分野】
【０００１】  本発明は、汚れを落とす作用を高めることができるブラシ用、たわし用の毛、及びそれを有するブラシ、たわしに関するものである。
【背景技術】
【０００２】  従来、汚れを落とすためのブラシやたわしには多数の毛が配置されている。この毛で擦ることによって汚れを落とすことは知られている。
【発明の開示】
【発明が解決しようとする課題】
【０００３】  ブラシやたわしを用いて汚れを落とすとき、汚れをかき落とす作用をするのはブラシやたわしの毛の先端部分が主体となっており、毛の側面による汚れを落とす作用は毛の先端部分に比べて劣っているのが現状である。
本発明は、以上の問題を解決し、ブラシやたわしの毛の側面においても汚れを落とす作用を高めることができるようになされたものである。
【課題を解決するための手段】
【０００４】  ブラシ用、たわし用の毛について、毛の側面に角や尖部を有する毛とする。毛の断面が三角形、四角形、星形など多角形である毛とする。毛の表面に多数の凹凸を有する毛とする。これらの特徴を有する毛をブラシやたわしに配置する。
本発明は、以上の構成よりなるブラシ用、たわし用の毛、及びそれを有するブラシ、たわしである。
【発明の効果】
【０００５】  ブラシ用、たわし用の毛の側面に角や尖部を有する毛とする。毛の断面が三角形または四角形または星形など多角形となる毛とする。毛の表面に多数の凹凸を有する毛とする。これらの毛は、その側面に角や尖部を有している。毛の側面に角や尖部が存在することにより、ブラシ用、たわし用の毛の側面においても汚れをかき落とす作用を高めることができる。
【発明の実施の最良の形態】
【０００６】  以下、本発明の実施の形態を説明する。
（イ）ブラシ、たわし用の毛について、その側面に角や尖部がある毛とする。
（ロ）ブラシ、たわし用の毛について、その断面が多角形である毛とする。
（ハ）ブラシ、たわし用の毛について、その断面が三角形である毛とする。
（ニ）ブラシ、たわし用の毛について、その断面が四角形である毛とする。
（ホ）ブラシ、たわし用の毛について、その断面が星形である毛とする。
（ヘ）ブラシ、たわし用の毛について、毛の表面に多数の凹凸を有する毛とする。
（ト）以上（イ）、（ロ）、（ハ）、（ニ）、（ホ）、（ヘ）に示した特徴を有する毛のうちの一種類だけを単独で、もしくは２種類以上を組み合わせてブラシ、たわしに配置する。
本発明は以上の構成よりなる。
ブラシ用、たわし用の毛の形状をこのようにすることにより、断面が三角形である毛の側面の角（１）、断面が四角形である毛の側面の角（２）、断面が星形である毛の側面の角（３）、表面に多数の凹凸を有する毛の側面の尖部（４）といったように毛の側面に角や尖部が生じることで、ブラシ用、たわし用の毛の側面にも汚れをかき落とす強い作用を与えることができる。このような毛は家庭での掃除用ブラシやたわし、歯ブラシなどはもちろん、業務で使用する清掃用、洗浄用のブラシ、たわしに用いることができる。このような毛を有するブラシやたわしを用いることによって汚れを落とす作用が高まり、作業時間の短縮や労力、洗浄剤の節約となり、省資源や環境の保護、改善にもつながるものである。
【図面の簡単な説明】
【０００７】
【図１】毛の断面が三角形であることを特徴とするブラシ、たわし用の毛の断面図。
【図２】毛の断面が四角形であることを特徴とするブラシ、たわし用の毛の断面図。
【図３】毛の断面が星形であることを特徴とするブラシ、たわし用の毛の断面図。
【図４】毛の表面に多数の凹凸を有することを特徴とするブラシ、たわし用の毛の断面図。
【符号の説明】
【０００８】（１）断面が三角形である毛の側面の角、（２）断面が四角形である毛の側面の角、（３）断面が星形である毛の側面の角、（４）表面に無数の凹凸を有する毛の側面の尖部
【図１】
2007185464.tif 000003
【図２】
2007185464.tif 000004
【図３】
2007185464.tif 000005
【図４】
2007185464.tif 000006
(57)【要約】      （修正有）【課題】一般のマスクは上部の鼻と頬の間の窪み部分より空気が漏れてフィルター効果が著しく低下する。また寒い時、吐いた息が上部より抜けてメガネが曇ってしまう。顔面にフィットするよう成型したマスクは効果の高いものは高価で、低価格のものは効果が不十分なものが多い。また上部に整形用の針金や金属板をいれたマスクは鼻の形状に曲げても両側がゴムで引っ張られているため伸びて隙間が出来てしまうことが多い。【解決手段】マスク１上部の鼻と頬の間の窪みに当る部分２に繊維やスポンジ等の柔らかく顔面へフィットする材質のものを小さいパッド３にして付ける。パッド３にはマスク１に接着するための接着材４（粘着剤や粘着テープ等）を付けておく。接着材４は貼り付けや取り外しが容易にできるものとし、パッド３は使い捨て方式とする。【選択図】図１
2007185470.tif 000002
【特許請求の範囲】
【請求項１】
マスクを掛けた時に鼻と頬の間の窪みに隙間ができてしまう。従って繊維やスポンジ等の柔らかく顔面へフィットする材質ものを隙間の形状に成型、パッド化してマスク上部のその位置に貼り付けることができるようにしたことを特徴とした使い捨てマスクパッド。
【請求項２】
パッドへは粘着剤や粘着テープ等を付け、容易に貼り付けや取り外しができるようにし、使い捨てを特徴とした使い捨てマスクパッド。
【請求項３】
パッドは左右個々のセパレート型と左右が繋がった一体型があり選択できることを特徴とした使い捨てマスクパッド。
【発明の詳細な説明】
【技術分野】
【０００１】  本発明は医療用、家庭用、業務用等の顔にかけるマスクに関する。
【背景技術】
【０００２】  従来の一般のマスクは掛けた時に鼻と頬の間の窪みに隙間ができてしまうものが多い。一部には顔面にフィットするよう成型したものやマスクの上部に整形用の針金や金属板をいれたもの等はある。【０００３】
【特許文献１】  登録実用新案第３０６８０６２号  登録実用新案第３０２４３７９号
【非特許文献１】
【発明の開示】
【発明が解決しようとする課題】
【０００４】  一般のマスクは上部の鼻と頬の間の窪み部分から空気が漏れてフィルター効果が著しく低下する。また寒い時、吐いた息が上部より抜けてメガネが曇ってしまう。【０００５】  顔面にフィットするよう成型したマスクは効果の高いものは高価で、低価格のものは効果が不十分なものが多い。また上部に整形用の針金や金属板をいれたマスクは鼻の形状に曲げても両側がゴムで引っ張られるため伸びて隙間が出来てしまうことが多い。
【課題を解決するための手段】
【０００６】  マスク上部の鼻と頬の間の窪み部分に繊維やスポンジ等の柔らかく顔面へフィットする材質のものを小さいパッドにして付ける。【０００７】  パッドにはマスクに接着するための粘着剤や粘着テープ等を付けておく。接着材は貼り付けや取り外しが容易にできるものとし、パッドは使い捨て方式とする。
【発明の効果】
【０００８】パッドにより空気の漏れが防げるためマスク素材のフィルター効果が十分に生きる。【０００９】吐いた息がマスク上部よりメガネの方に抜けないためメガネが曇ることがない。【００１０】パッドはパッド材に粘着材を付けただけの物のため安価にできる。【００１１】マスクは可燃物のみで作る事が出来るため廃棄する時に分別する必要がない。【００１２】パッドは使い捨て方式のため衛生的である。
【発明を実施するための最良の形態】
【００１３】  以下、本発明の実施の形態を図面に基づき詳細に説明する。【００１４】  図１〜３は本発明の第１の実施の形態に係り、
図１はマスクにパッド（一体型あるいはセパレート型）を付けた外観斜視図、図２は一体型パッドの外観斜視図、図３セパレート型パッドの外観斜視図である。【００１５】  図１に示すようにマスク１にパッド２（一体型あるいはセパレート型）を付けたものである。【００１６】  図２に示すように一体型パッドは一体型パッド材３に粘着材５を付けたものである。【００１７】  図３に示すようにセパレート型パッドはセパレート型パッド材４に粘着材５を付けたものである。
【実施例】
【００１９】  パッドは付けている時あるいは取り付け取り外し時に変形したり、毛羽立たない材質のものとする。【００２０】  パッドに付ける粘着材はマスクからパッドを取り外した時マスク側に粘着材が残らないようなものとする。
【産業上の利用可能性】
【００２１】  本発明は家庭、医療施設、産業用の防菌、防塵等のマスクに利用できる。
【図面の簡単な説明】
【００２２】
【図１】  本発明のパッドを付けたマスク全体の外観斜視図である。
【図２】  本発明の一体型パッドの外観斜視図である。
【図３】  本発明のセパレート型パッドの外観斜視図である。
【符号の説明】
【００２３】  １、本体                ２、パッド（一体型あるいはセパレート型）
３、一体型パッド材      ４、セパレート型パッド材      ５、粘着材
【図１】
2007185470.tif 000003
【図２】
2007185470.tif 000004
【図３】
2007185470.tif 000005
(57)【要約】【課題】  単調であったこれまでの玩具や磁気感応スイッチやリレー・鍵などを複雑化し、物の上下や移動においてはロープや空気圧・ベアリング・台車などが使われており簡易で消耗の少ないものにする。【解決手段】  一方に磁気または磁石のＮ極やＳ極を平面的または立体的に配置し、他方に磁気または磁石のＮ極やＳ極を前者と同じまたは逆にあるいはランダムに平面的または立体的に配置し、その磁気作用を利用する。【選択図】図１
2007185450.tif 000002
【特許請求の範囲】
【請求項１】
磁気または磁石のＮまたはＳ極をベースにし、対象物に浮き上がりや接近・着地をさせるための磁気または磁石を設けた玩具。
【請求項２】
一方に磁気または磁石のＮ極やＳ極を平面的に配置し、他方に磁気または磁石のＮ極やＳ極を前者と同じまたは逆にあるいはランダムに平面的に配置し双方の適合性の可否を利用した鍵やカード・玩具・スイッチなどの製品。
【請求項３】
一方に磁気または磁石のＮ極やＳ極を立体的に配置し、他方に磁気または磁石のＮ極やＳ極を前者と同じまたは逆にあるいはランダムに立体的に配置し双方の適合性の可否を利用した鍵やカード・玩具・スイッチなどの製品。
【請求項４】
一方に磁気または磁石のＮ極やＳ極を平面的または立体的に配置し、他方に磁気または磁石のＮ極やＳ極を前者と同じまたは逆にあるいはランダムに平面的または立体的に配置し、その磁気作用による物体の平面的・立体的移動をさせる機器。
【発明の詳細な説明】
【技術分野】
【０００１】  本発明は、磁気または磁石のＮ極とＳ極を利用した製品に関する。
【背景技術】
【０００２】  これまでに相撲玩具として相撲取り模型の下に薄鉄板を設け、下敷きなどの上に乗せその下敷きの下から磁石で相撲取り模型を動かす遊びがある。【０００３】  また物を倒れにくくするために上記と同様に磁石を利用したものがある。【０００４】  鍵ではキーに磁石を埋め込みと鍵穴にそのキー埋め込まれた磁石と同じ位置にキーと同じ配列もしくは逆の配列で設置し、相互の磁石作用により開閉が行なわれている。【０００５】  磁気感応スイッチやリレーなどでも磁性の発生によりスイッチの開閉が行なわれている。
【発明の開示】
【発明が解決しようとする課題】
【０００６】  これまでの玩具や磁気感応スイッチやリレーなどでも単に磁気または磁石のつく・離れる性質を利用したものに過ぎなく単調であった。【０００７】  物の上下や移動においてはロープや空気圧・ベアリング・台車などが使われており、磁気を利用したものにリニアー車両があるくらいである。
【課題を解決するための手段】
【０００８】  一方に磁気または磁石のＮ極やＳ極を平面的または立体的に配置し、他方に磁気または磁石のＮ極やＳ極を前者と同じまたは逆にあるいはランダムに平面的または立体的に配置し、その磁気作用による双方の適合性の可否および対象物に浮き上がりや接近・着地をさせるために磁気または磁石を利用した製品や機器を使う。
【発明の効果】
【０００９】  本発明により複雑な動きの玩具・複製しにくい鍵・立体的配列によるスイッチやリレーによる複雑な作動・物や人の移動が調製可能で簡易にできる。
【発明を実施するための最良の形態】
【００１０】  一方に磁気または磁石のＮ極やＳ極を平面的または立体的に配置し、他方に磁気または磁石のＮ極やＳ極を前者と同じまたは逆にあるいはランダムに平面的または立体的に配置し、その磁気作用を利用する。
【実施例】
【００１１】  筒状の入れ物のベースに電磁石を設置し、会社名を書き底面に磁石をつけた円柱状も物をいれて、底面の磁石と同じ極を電磁石に生じさせたところ円柱状のものが浮きあがり、会社が落ちない・のぼるという縁起物として作った。【００１２】  磁石のＮ・Ｓを見た目ではわからなくトランプに配置し、神経衰弱ゲームを行なったところ、めくったカードと反対の極が組み合ったカードとがぴたりと合ったものが取れるようにしたところ、従来の神経衰弱ゲームと違い相手のカードをめくることがないためより複雑で頭を使うゲームとなった。
【産業上の利用可能性】
【００１３】  簡易移動車・簡易エレベーター・個人認証切符・取替え可能でセキュリティーの高い鍵・トランプ・ジグソーパズル・その他玩具や機器に応用できて経済効果が計れる。
【図面の簡単な説明】
【００１４】
【図１】  筒状の入れ物のベースに電磁石を設置し、会社名を書き底面に磁石をつけ上部に物を乗せた円柱物をいれ作用を示した正面図である。
【図２】  磁石のＮ・Ｓを見た目ではわからなくトランプに配置した神経衰弱ゲームの平面図である。
【符号の説明】
【００１５】      １  筒状の入れ物
２  上部に乗せた物
３  円柱物
４  会社名
５  底面につけた磁石
６  電磁石
７  トランプ
８  ＮまたはＳ極の磁石
９  ＳまたはＮ極の磁石
【図１】
2007185450.tif 000003
【図２】
2007185450.tif 000004
(57)【要約】      （修正有）【課題】足裏の重心移動と足脚に軽快感を与えながら、伸縮屈伸運動を促進させる作用をもつスリッパを提供する。【解決手段】足底敷に複数のクッション性ボール５，６を設けたパワースリッパである。【選択図】図１
2007185453.tif 000002
【特許請求の範囲】
【請求項１】
足底敷に複数のクッション性ボールを設けたパワースリッパ。
【発明の詳細な説明】
【技術分野】
【０００１】この発明は、足裏の重心移動と足脚に軽快感を与えながら、伸縮屈伸運動を促進させる作用をもつスリッパに関するものである。
【背景技術】
【０００２】従来の健康増進を目的として考案されたスリッパは、それを用いる人の意志力に任され、さらに、装着した足の自力で歩行や上下運動等を行うことで、その目的を果たそうとしていた。
【発明の開示】
【発明が解決しようとする課題】
【０００３】そのために次のような問題点が生じていた。
（イ）加齢や意志力の低下などによって、足本来の健康に良いとされる、踵を踏み込んで足指先に重心を移す動作が失われ、足脚の弱体化を招くところがあった。
本発明は、以上の問題点を解決したものである。
【課題を解決するための手段】
【０００４】２枚の足敷板の間に、踵部分に球形のクッション性ボール、土踏まず部分に球形または半球形のクッション性ボールを設けて、布状のもので全体を包んで足底敷とし、これを用いて、スリッパ形に仕上げる。
以上の構成からなるパワースリッパである。
【作用】
【０００５】跳ね上がる弾力と反発力、柔らかく優しい感触を備え、圧力をかけたり、緩めたりすると、しっかり伸縮反発するクッション性ボールを２枚の足敷板の間に、踵部分に球形、土踏まず部分に球形または半球形で設けて、足底敷にすることにより、踵を踏み込んで上げるという動作で、足脚伸縮屈伸運動を増す。
【０００６】踏み込んで、踵を上げるとき、クッション性ボールのもつ反発力と伸力が、踵を持ち上げるのを補助し、クッション性ボールのもつ柔軟性とボールという丸みが前に傾ける作用をすることで、足の重心移動が起こり、足裏の凸凹に沿うことで、土踏まずにもクッション性ボールの反発力が働き、常に縮もうとする傾向がある土踏まずを軽く押し広げつつ、重心を足指先へと移動させる。
【発明の効果】
【０００７】踵を踏み込んで持ち上げる自力に、クッション性ボールがもつ柔軟性と反発伸縮力という他力が加わることで、足を前に踏み出す力が増し、踵から足指先への重心移動力が加わって、足に軽快感を生じさせながら、容易に足脚伸縮屈折運動を促進させる。
【０００８】さらに、立ちっぱなしや座ったままなどの条件に置かれていても、その場で踵の踏み込み動作をするだけで、足脚の伸縮屈伸運動をすることができる。
【他への応用】
【０００９】スリッパ以外に、室内シューズ、靴、サンダル、草履などの形状で履物に利用できる。
【産業上の利点】
【００１０】パワースリッパは加齢に伴う運動不足による足の弱体化、パソコン等の普及、さらに加熱する受験勉強等で座る時間の長い条件に置かれた人、立ったままで仕事をする条件に置かれている人等も対象に、気軽にできる足脚運動スリッパとして充分に利用される条件を備えている。
【図面の簡単な説明】
【００１１】
【図１】  本発明の斜視図
【図２】  本発明の原理説明図１
【図３】  上敷板
【図４】  下敷板
【図５】  足底敷断面図
【図６】  足底敷斜視図
【図７】  本発明の原理説明図２
【図８】  本発明の原理説明図３
【符号の説明】
【００１２】１は足底敷
２はカバー
３は上敷板
４は下敷板
５は踵クッション性ボール
６は土踏まずクッション性ボール
７は踵穴
８は土踏まず穴
９は滑り止め
１０は踵窪み
１１は足底敷カバー
【図１】
2007185453.tif 000003
【図２】
2007185453.tif 000004
【図３】
2007185453.tif 000005
【図４】
2007185453.tif 000006
【図５】
2007185453.tif 000007
【図６】
2007185453.tif 000008
【図７】
2007185453.tif 000009
【図８】
2007185453.tif 000010
(57)【要約】【課題】  ネクタイの使用および保管時に効率が悪いという不都合を解決すること。【解決手段】  ハンガーにクリップを多数つける工夫を加えることにより、この課題を解決する。【選択図】図１
2007185458.tif 000002
【特許請求の範囲】
【請求項１】
ハンガーにクリップを多数つける工夫を加えることを特徴とするネクタイハンガー。
【請求項２】
ハンガーを２段にしたことを特徴とする使い分けのできるネクタイハンガー。
【発明の詳細な説明】
【技術分野】
【０００１】  本発明は、ネクタイハンガーに関するものであり、ハンガーにクリップを多数つける工夫を加えることによって、ネクタイの吊り下げを容易にするものである。
【背景技術】
【０００２】  従来から、ネクタイハンガーとして、支軸を用いたものが利用されている。この例として、特許文献１と２に開示されているものがある。
【特許文献１】  特開２０００−５０３３号公報
【特許文献２】  特開２０００−２０１７９６号公報
【発明の開示】
【発明が解決しようとする課題】
【０００３】  しかし、従来のような支軸を使用するものでは、ネクタイの吊り下げが面倒であり、ネクタイの色柄が重なって見えるため、選別においても効率が悪く不便である。本発明は、このような、ネクタイの使用および保管時に効率が悪いという不都合を解決することを課題とする。
【課題を解決するための手段】
【０００４】  この課題を解決するための請求項１の発明は、ハンガーにクリップを多数つける工夫を加えることを特徴とする、ネクタイの吊り下げの容易なハンガーである。クローゼット、押入れ、ドア枠上部分など場所を選ばず、このネクタイハンガーを吊持することにより、ネクタイの使用と保管を簡易かつ迅速にしたものである。【０００５】  また、請求項２の発明は、ネクタイハンガーを２段にしたことを特徴とする、吊り下げの容易なネクタイハンガーである。クローゼットのポール部分などにネクタイハンガーを吊持し、クリップ数を増やすことにより、多数のネクタイが整理され保管できるとともに、正確な収納が可能である。また、使用する人が、ネクタイを上段と下段とに使い分けができ大変便利である。
【発明の効果】
【０００６】  本発明により、ネクタイの吊り下げの面倒や、選別においても効率が悪いという不都合はおきず、ネクタイの使用と保管を迅速にすることができる。
【発明を実施するための最良の形態】
【０００７】  図１は、ハンガーにクリップを多数つける工夫を設けたことを特徴とする、ネクタイハンガーの見取り図である。同図に示すように、ハンガーに設けられた多数のクリップにネクタイを安定して吊り下げ、ネクタイを使う人が一目瞭然に色柄の判別ができ、ネクタイの使用および保管が大変簡単にできる。また、ネクタイ保管時にクリップ跡が残らないように、クリップ先端にはソフトパットを設けてある。【０００８】  図２は、ネクタイハンガーを２段にしたことを特徴とする、吊り下げの容易なネクタイハンガーの見取り図である。同図に示すようにハンガーが、２段となりクリップ数が増すことにより多数のネクタイを吊り下げ可能となり、ネクタイを使う人が上段下段とシーズンごとのネクタイを使い分けることができ、大変便利である。図１と同様にネクタイ保管時にはクリップ跡が残らないように、クリップの先端にはソフトパットが設けてある。
【産業上の利用可能性】
【０００９】  本発明によるネクタイハンガーは、工業的に量産することが可能であるため、産業上の利用可能性を有する。
【図面の簡単な説明】
【００１０】
【図１】  ハンガーに多数のクリップを設けたネクタイハンガーの見取り図である。
【図２】  ハンガーを２段に設けた、使い分けのできるネクタイハンガーの見取り図である。
【符号の説明】
【００１１】１    ハンガーに多数のクリップを設けたネクタイハンガー
２    ハンガーを２段に設けた、使い分けのできるネクタイハンガー
３    クリップ先端に設けた、ソフトパット
【図１】
2007185458.tif 000003
【図２】
2007185458.tif 000004
(57)【要約】【課題】  靴及び靴の金具やベルトに結んで装着することで、異なった組み合わせの結び目を形成し、ファッション性を高める靴装飾品を提供する。【解決手段】  表裏に色、材質の異なる皮や合皮を貼り合わせ、長尺状の本体の中央部を両端部より細幅とし、両端部を対称の形状とし、結ぶことで、着脱可能とし、表裏ニ色の異なった組み合わせの結び目を複数形成することを特徴とする靴装飾品。【選択図】図１
2007185459.tif 000002
【特許請求の範囲】
【請求項１】
表裏に色、材質の異なる皮や、合皮を貼り合わせた、長尺状の本体の中央部を両端部より細幅とし、両端部を対称の形状とし、結ぶことで着脱可能とし、表裏２色の異なった組み合わせの結び目を複数形成することを特徴とする靴装飾品。
【発明の詳細な説明】
【技術分野】
【０００１】  本発明は靴及び靴の金具やベルトとに結んで装着することで、異なった組み合わせの結び目を形成する靴装飾品である。
【背景技術】
【０００２】  従来、靴の装飾品はリボン、ベルト、バックル金具、小物類など、靴と一体型としているものが多かった。
あるいは、装飾品を靴から取り外しできるものとして、金具がある。（特許文献１参照）
また市販されているものでは、金具の付いたベルト、鎖のものがあった。
【特許文献１】特開平１１−３０２２８１２号
【発明の開示】
【発明が解決しようとする課題】
【０００３】  そのため次のような問題点があった。
（イ）靴と装飾品を一体型としているものでは、ファッション性が一様である。また、取り外しができるものでも、付けるか外すかの２通りで、いずれも、ファッション性が低かった。
（ロ）靴と装飾品を一体型としているため、取り外しができず、衣服の裾をいためることがあった。
【課題を解決するための手段】
【０００４】  表裏に色、材質の異なる皮や合皮を貼り合わせた、長尺状の本体の中央部を両端部より細幅とし、両端部を対称の形状とし、結ぶことで着脱可能とし、表裏２色の異なった組み合わせの結び目を複数形成する。以上を特徴とする靴装飾品である。
【発明の効果】
【０００５】  本発明は本体の表裏が色、材質の異なったものでなり、靴や靴の金具や、ベルトに結んで装着するため、表と裏のどちらかを表面に出して、結ぶかによって、２色の異なった組み合わせの結び目が、複数形成されるので、ファッション性が高まる。また、金具に結んで装着することで、金具と覆い、衣服の裾をいためることもなくなる。
【発明を実施するための最良の形態】
【０００６】  以下、本発明の実施の形態を説明する。
（イ）長尺状の本体（１）は表面（２）と裏面（３）に色、材質の異なった皮や合皮を貼り合わせてなる。
（ロ）本体（１）の中央部（４）は両端（５）より細幅にする。
（ハ）本体（１）の両端部（５）は対称の形状とする。
本発明は、以上の構成よりなっている。
本発明を使用する場合、まず靴本体に使用する時は、靴に足を入れた状態で次のように本発明を装着する。
図２（ａ）で示すように装着部位が足首、図２（ｂ）で示すように、装着部位が足の甲の場合では、まず、その部位に本体（１）の中央部（４）を、一回巻いて結び、靴の上面にでた端部（５）で、もう片方の端部（５）に巻きつけもう一回結ぶ。
足の甲の部位の装着は、靴底とヒールの間に本体（１）を通して使うので、ヒールの高い靴に限られる。
また、図２（ｃ）で示すように、金具やベルトに装着する場合は、まず片方の端部（５）を、金具やベルトの下にくぐらせ、上面の端部（５）で、もう片方の端部（５）に巻きつけ、一回だけ結ぶ。
また、図３で示すように、装着時には、２色の異なった組み合わせの結び目が形成されるので、表と裏のどの面を表面に出すかを選んで装着する。
図３（ｅ）、（ｆ）、（ｇ）、（ｈ）では、結び目の中央部（４）を折って、２色が表面に出るように結んだものである。
【図面の簡単な説明】
【０００７】
【図１】本発明の斜視図
【図２】本発明の装着の手順を示す斜視図
【図３】本発明の他の実施例を示す斜視図
【符号の説明】
【０００８】      １  本体
２  表面
３  裏面
４  中央部
５  端部
【図１】
2007185459.tif 000003
【図２】
2007185459.tif 000004
【図３】
2007185459.tif 000005
(57)【要約】  超音波振動板が、濡れた手に接触することで、水分を振動で霧状にし、手についた水分を除去することができる。このとき、振動板と手を境にして逆側から送風されることで、指と指の間の水分も振動板側に移動し除去できる。これにより、手は、送風だけの物に比べ、乾燥しすぎることがなく潤いを保つことができ、また、超音波振動によるマッサージ効果も受けられる。【特許請求の範囲】
【請求項１】
濡れた手を入れると、超音波振動板に接触し、その振動で、手についた水分が霧状になり、手から水分が保湿しながら取り除かれる構造を持つ超音波式保湿機能付手洗後除水器
【請求項２】
乾いた手を引き出すと、超音波振動板に紫外線が照射され、超音波振動板を除菌する構造を持つ超音波式保湿機能付手洗後除水器
【請求項３】
超音波振動板と、手を境にして反対側に、送風装置を持つ超音波式保湿機能付手洗後除水器
【発明の詳細な説明】
【発明の詳細な説明】
現在、多くの公共施設や、大手スーパー、デパートなどのトイレでは、トイレをすました後手を洗い、水気を取り去るために、送風式の処理機を用いている。これは、現在、潔癖主義な考え方が多くの場で指示されていることが、起因している。その前に普及していた、巻き取り式のタオルを利用する方式に比べ、物と接することが少なく、天然乾燥に近いため、衛生面で評価されるためであった。  しかし、この送風式では、当然ながら乾燥した風を吹き出させることで水気を取り去るため、手に残さなければならない潤いとしての水分も取り去られてしまいます。その結果、特に乾燥した冬場には、手荒れの原因にもなります。  本発明は、超音波振動により水気を吹き飛ばし、吹き飛ばされた水分は、霧状になって周りに漂いながら取り除かれていくため、手の保湿を残しながら行うことができます。また、超音波振動により手へのマッサージ効果もあり、手のツボを通し、全身へのリラックス効果を生みます。
【図面の簡単な説明】
【図１】は、手を超音波式保湿機能付手洗後除水器に入れたときの側面図１  超音波振動板    ２  手    ３送風装置
【図１】
2007185455.tif 000002
(57)【要約】【課題】  パターヘッドに集光材を用いることで、パッティングの方向性を向上させる。【解決手段】  パターヘッド上部と背面を切削加工し、集光材プレートを組込むことによって、その鮮烈な色付きの光を利用して、ターゲッティングの確率を向上せしめることを可能なものとした。これにより、パターフェイスの向きの確認が容易になり、その精度が向上することによって、カップインする確率を向上させた。【特許請求の範囲】
【請求項１】
パターヘッド本体、もしくはその一部に集光性を有する蛍光染料あるいは顔料を配合させた、透明性に優れた樹脂、ガラスなどの素材を用いることによって、ヘッドの上部より着色光を放つ、ゴルフ用のパターヘッド。
【発明の詳細な説明】
【技術分野】
【０００１】  本発明は、パターヘッドに集光性を有する素材を用い、その成分である染料もしくは顔料が光を受け、色付きの光へと波長を変化させる性質を利用することによって、目標に対してパターのフェイスの向きをセットする際の目視確認を容易にし、パッティングの方向性を向上させるものである。
【背景技術】
【０００２】  従来から、ゴルフのプレーにおけるパターの役割は、狙いを定めた方向に的確にボールを転がすことを目的とするため、ヘッドの形状、目印となる刻み目等で、フェイスのセッティングを向上させるための様々な工夫がなされている。
【特許文献】  引用なし。
【非特許文献】  引用なし。
【発明の開示】
【発明が解決しようとする課題】
【０００３】  しかし、従来の方法で作られたパターヘッドの中には、パットをおこなうためのフェイスのセッティングをする際に、視覚的に強い印象を効果的に得られるような目印を有するものがなく、パッティングにおける方向性に狂いが生じやすかった。本発明は、視覚的な効果によって、パッティングの方向性の狂いを解決することを課題とする。
【課題を解決するための手段】
【０００４】  この課題を解決するための請求項１の発明は、パターヘッドに集光性を有する蛍光染料もしくは顔料を配合させた樹脂、あるいはガラスなどの素材を用いることによって発せられる着色光を特徴とする、視覚的な効果の高いパターヘッドである。この着色光を目視確認することによって、パッティングにおける方向性の精度は格段に向上する。
【発明の効果】
【０００５】  本発明により、パターヘッド本体もしくはその一部に集光性を有する蛍光染料あるいは顔料を配合させた素材を用い、光を特定の波長に変調させ、色付きの光として放つ性質を利用することによって、目標に対してパターフェイスをセットする際のターゲッティングの精度が従来品と比較して格段に向上し、パッティングの方向性をより確実なものとすることができる。【０００６】  また、集光材の発する色としては、光の波長の変化度合に差をつけることによって、色の３原色である、赤、緑、黄を中心とした数種類の色調を発現させることが可能で、パターヘッドに組込む集光材は使用者の好みで選択することができる。【０００７】  さらに、集光材をプレート状のパーツとし、これに互換性をもたせることによって、季節や天候に適した色調や、光線の強度の異なるプレートを選択し、容易に装着、使用することも可能にした。
【発明を実施するための最良の形態】
【０００８】  図１において、パターヘッド上面部１と、パターヘッド背面部２に切削加工を施し、サイズ２８×７５ミリ、肉厚３ミリの集光材プレート３を組込んだ。今回選択した集光材プレートは、白色光の波長を約５７０ナノメートルに変調させるもので、パターヘッド背面部に受けた光を、集光材プレート側面４よりオレンジ色の光として発することができる。【０００９】  このようにすると、集光材プレートを組込んだパターヘッドは、パッティングを行うグリーン上において、パターヘッドの背面より自然光を受け、集光性を有する染料あるいは顔料の作用によって、光の波長を変調させ、パターヘッド上部に位置する集光材プレートの側面部より、常時安定した着色光を放つことが可能になるため、目標に対してパターフェイスをセットする際の目視確認が容易となり、パッティングにおける方向性が向上する。【００１０】  また、パターヘッド背面に受ける光は直射である必要はなく、グリーンの周辺より自然に採り込まれる光量で十分な機能を果たすため、どのような方位からでも効果が損なわれることはなく、天候の影響についても、肉眼での競技が可能な範囲において、問題なく機能を発揮することができる。
【産業上の利用可能性】
【００１１】  本発明に係るパターヘッドは、工業的に量産することが可能であるため、産業上の利用可能性を有する。
【図面の簡単な説明】
【００１２】
【図１】  パターヘッドの一部にプレート状の集光材を組み込んだ、本発明の斜視図である。
【符号の説明】
【００１３】  １  パターヘッド上部
２  パターヘッド背面部
３  集光材プレート
４  集光材プレート側面
５  パターフェイス
６  シャフト
【図１】
2007185456.tif 000002
【手続補正書】
【提出日】平成18年5月17日(2006.5.17)
【手続補正１】
【補正対象書類名】明細書
【補正対象項目名】０００６
【補正方法】変更
【補正の内容】
【０００６】  また、集光材の発する色としては、光の波長の変化度合に差をつけることによって、色の３原色を中心とした、数種類の色調を発現させることが可能で、パターヘッドに組込む集光材は、使用者の好みで選択することができる。
(57)【要約】【課題】  枕元のパイプなどに簡単に固定でき、便利なペーパーホルダーの装着具を提供する。【解決手段】  支持板の上辺にネジを複数個設け、天板に溝を設け、天板上面より溝に貫通するネジ穴を複数個設け、側板と支持板の内側にゴム材を貼り付け、挟みつけ装着し、天板に設けたネジで天板と挿入板を固定することを特徴とするペーパーホルダーの装着具である。【選択図】図４
2007185460.tif 000002
【特許請求の範囲】
【請求項１】
支持板の上辺にネジを複数個設け、天板に溝を設け、天板上面より溝に貫通するネジ穴を複数個設け、側板と支持板の内側にゴム材を貼り付け、挟みつけ装着し、天板に設けたネジで天板と挿入板を固定することを特徴とするペーパーホルダーの装着具である。
【発明の詳細な説明】
【技術分野】
【０００１】  本発明は、市販されているトイレットペーパーホルダーを利用し、病院等のパイプベッドのパイプに装着することを可能にするペーパーホルダーの装着具に関するものである。
【背景技術】
【０００２】  従来の介護用ベッド、ポーダブルトイレや病院でのパイプベッドには、ペーパーホルダーの装着具は設置されていない。
【発明の開示】
【発明が解決しようとする課題】
【０００３】  そのために、次のような問題点があった。
（イ）半身不随の方や寝たきりの方に付き添い介護する時に、トイレットペーパーをそのままの状態で置いている為使いにくい。
（ロ）病院内で、ハンガーや針金を工夫し、トイレットペーパーの芯に通して使用している方もいたが、安定感がなく、使用しにくかった。
本発明は以上の問題点を解決しようとするものである。
【課題を解決するための手段】
【０００４】  支持板の上辺にネジを複数個設け、天板に溝を設け、天板上面より溝に貫通するネジ穴を複数個設ける。側板と支持板の内側にゴム材を貼り付け、パイプを挟みつけ装着し、天板に設けたネジで、天板と挿入板を固定する。
以上を特徴とするペーパーホルダーの装着具である。
【発明の効果】
【０００５】  本発明は、従来市販されているあらゆるペーパーホルダーに固定使用出来る為、介護ベッド、ポータブルトイレ、病院ベッドに寝たままで手元に置いて使用出来る。その為、半身不随の方や、介護される方が使用されやすく、便利である。
【発明を実施するための最良の形態】
【０００６】  以下、本発明の実態の形態について説明する。
（イ）プラスチックまたは金属材からなる側板（１）の上端に水平状の天板（２）を設け、側板（１）の内側に同形状のゴム材（６）を貼り付ける。
（ロ）天板（２）は一側面により中央に向けて溝（３）を設ける。
（ハ）天板（２）の上面より溝（３）に貫通するネジ穴（７ａ）を複数個設ける。
（ニ）支持板（４）の上端に水平状の挿入板（５）を設け、支持板（４）の内側に同形状のゴム材（６）を貼り付ける。
（ホ）支持板（４）の上辺にネジ穴（７ｂ）を直列に複数個設ける。
（ヘ）挿入板（５）を天板（２）に設けた溝（３）に出し入れ自在にする。
本発明は以上の構成よりなっている。
本発明を使用するときは、支持板（４）の表面にロールペーパー（１０）を有するペーパーホルダー台（９）を、ネジ穴（７ｂ）にネジ（８ｂ）を差し込んで取り付ける。その後病院のパイプベッドの枕元のパイプ（１１）を側板（１）と支持板（４）により挟みつけて、本発明を装着する。また、天板（２）と挿入板（５）を固定する。ゴム材（６）はパイプ（１１）を確実に挟みつけて支えることができる。細いパイプに本発明を装着するときは、側板（１）と支持板（４）の間に別途準備したゴムマットを入れて装着すると安定してパイプに装着できる。
【図面の簡単な説明】
【０００７】
【図１】本発明の作図
【図２】本発明の分離斜視図
【図３】本発明の使用状態を示す断面図  （イ）は、パイプに装着する前、（ロ）はパイプに装着した状態である。
【図４】本発明の使用状態を示す側面図
【符号の説明】
【０００８】  １  側板
２  天板
３  溝
４  支持板
５  挿入板
６  ゴム材
７  ａネジ穴
ｂネジ穴
８  ａネジ
ｂネジ
９  ペーパーホルダー台
１０  ロールペーパー
１１  パイプ
【図１】
2007185460.tif 000003
【図２】
2007185460.tif 000004
【図３】
2007185460.tif 000005
【図４】
2007185460.tif 000006